(57)【要約】【課題】「健康かみしばい」を有効活用することで、健康健康づくりへの行動を起こせない個人に対して運動・身体活動の重要性を認識させるアプローチができ、個人の努力のみに頼るのではなく地域や職場等で効果的に実践できて、健康づくりの好循環をつくり得る健康づくり支援方法及びその支援システムを提供する。【解決手段】個人の健康づくりを支援する健康づくり支援者の指導に基づき、個人の自立体力を検定する自立体力検定ステップと、自立体力検定ステップで得られた自立体力結果に基づいて、健康づくり支援者が「健康かみしばい」や「チャレンジマップ」等を使用して健康づくりのための健康教育や健康情報の提供を行う教育・情報提供ステップと、を備えることを特徴とする。【選択図】図１
2019036128.tif 000002
【特許請求の範囲】
【請求項１】
個人の健康づくりを支援するための所定のスキルを有する健康づくり支援者の指導に基づき、個人の自立体力を検定する自立体力検定ステップと、前記自立体力検定ステップで得られた自立体力結果に基づき、前記健康づくり支援者が健康づくりのための健康教育及び又は健康情報の提供を行う教育・情報提供ステップを備えることを特徴とする健康づくり支援方法。
【請求項２】
前記教育・情報提供ステップは、健康教育用及び又は健康情報提供用の資料に基づくかみしばいの形態で行われると共に、個人の健康づくりの目標と行動を記載可能なチャレンジシートを併用することを特徴とする請求項１に記載の健康づくり支援方法。
【請求項３】
前記所定のスキルが、健康教育スキル、自立体力検定の運営スキル及び運動啓蒙スキルであることを特徴とする請求項１または２に記載の健康づくり支援方法。
【請求項４】
前記自立体力検定ステップは、歩行能力、手先作業能力、身体調整能力及び姿勢変換能力の検定ステップを有することを特徴とする請求項１ないし３のいずれかに記載の健康づくり支援方法。
【請求項５】
健康教育スキルと自立体力検定の運営スキル及び運動啓蒙スキルを有する健康づくり支援者の指導に基づき、個人の自立体力を検定する自立体力検定手段と、前記自立体力検定手段で得られた自立体力結果に基づき、前記健康づくり支援者が健康づくりのための健康教育及び又は健康情報の提供を行う教育・情報提供手段を備えることを特徴とする健康づくり支援システム。
【請求項６】
前記教育・情報提供手段は、問題定義学術データ、解決理論学術データ、解決アクション学術データが記載された健康情報頁と、該健康情報頁と併用され目標と行動が記載可能なチャレンジシートを備えることを特徴とする請求項５に記載の健康づくり支援システム。
【発明の詳細な説明】
【技術分野】
【０００１】
本発明は、高齢者等の個人の健康づくりを支援するための健康づくり支援方法及びその支援システムに関する。
【背景技術】
【０００２】
一般に、個人の健康を維持するうえで医療・健康情報を正しく理解して活用する個人の能力をヘルス・リテラシーといい、ヘルス・リテラシーが低いと個人が適切な疾病予防や医療のサービスを受けることは難しい。このヘルス・リテラシーは、高齢者の方が若者より低いことが知られているが、その要因として、若者はＩＴから多くの医療・健康情報を容易に得るが、高齢者にはＩＴが十分に普及していないこと、及び「地域包括ケアシステム」等のカタカナ用語や「介護保険制度」等の社会の仕組みが複雑でわかり難いこと等が、その一因として考えられている。
【０００３】
一方、昭和２０年以降、我が国の農村医学の分野では、無医村や医療過疎地域において、医療者側が工夫することで地域の総合的な保険活動を展開してきている歴史がある。その際、例えば巡回診療活動に、演劇、紙芝井（かみしばい）、指人形、映画等を持参したという記録があり、特に紙芝井は、高齢者に比較的受け入れ易く、過去に体験した可能性が高いこと、現在はほとんど体験できず懐かしさと物珍しさがあること、能動的・自己参加的であること等から、近年、介護施設向けで一部使用されている。
【０００４】
従来、個人の健康づくりを支援する方法としては、例えば特許文献１及び特許文献２が開示されている。特許文献１に開示の健康づくり支援方法（健康づくり支援システム）は、マークシートに記入した「休養習慣に関するデータ」と「運動習慣に関するデータ」及び「食事習慣に関するデータ」に基づき、予め定めたテーマ毎に個人の健康づくりの改善方法を作成して、この方法を各個人に実践させるようにしたものである。
【０００５】
また、特許文献２に開示の健康づくり支援方法（自立体力テスト方法及びその装置）は、「歩行能力」「身体調整能力」「手先作業能力」及び「姿勢変換能力」の達成時間を、それぞれ所定の器具等を使用して計測し、この計測時間を予め実験によって求めた評価基準表と比較して各個人の自立体力を測定し、各個人の健康づくりを支援するようにしたものである。
【先行技術文献】
【特許文献】
【０００６】
【特許文献１】特開２０００−２３９２３号公報
【特許文献２】特許第５３１６９８４号公報
【発明の概要】
【発明が解決しようとする課題】
【０００７】
しかしながら、前者の支援方法にあっては、テーマ毎に作成される改善方法を実践することで個人の健康づくりを支援できるものの、支援がマークシートへの記入から開始されるため、個人がマークシートへの記入という最初の行動を起こす必要がある。また、後者の測定方法にあっても、個人の自立体力は精度良く測定できてその測定結果に基づいた所定の行動を起こすことで、健康づくりの支援が可能になるものの、前者の支援方法と同様に、個人が自立体力を測定しようとする最初の行動を起こす必要がある。
【０００８】
すなわち、両方法とも、健康づくりの支援のための最初の行動が、各個人の意識に任されていることから、各個人が運動・身体活動の重要性を理解していたとしても、各支援方法にアプローチすることが現実的に難しく、各方法を具体的に実践することも難しい。その結果、例えば個人の健康づくりを地域全体や職場等で効果的に行って、健康寿命を延伸したり社会保障費の削減等を図って、健康づくりの好循環をつくることが困難である。
【０００９】
本発明は、このような事情に鑑みてなされたもので、その目的は、前述した紙芝井に工夫を施した「健康かみしばい」を有効活用することで、健康づくりへの行動を起こせない個人に対して運動・身体活動の重要性を認識させるアプローチができ、個人の努力のみに頼るのではなく地域や職場等で効果的に実践できて、健康づくりの好循環をつくり得る健康づくり支援方法及びその支援システムを提供することにある。
【課題を解決するための手段】
【００１０】
かかる目的を達成すべく、本発明のうち請求項１に記載の発明は、個人の健康づくりを支援するための所定のスキルを有する健康づくり支援者の指導に基づき、個人の自立体力を検定する自立体力検定ステップと、前記自立体力検定ステップで得られた自立体力結果に基づき、前記健康づくり支援者が健康づくりのための健康教育及び又は健康情報の提供を行う教育・情報提供ステップを備えることを特徴とする。
【００１１】
また。請求項２に記載の発明は、前記教育・情報提供ステップが、健康教育用及び又は健康情報提供用の資料に基づくかみしばいの形態で行われると共に、個人の健康づくりの目標と行動を記載可能なチャレンジシートを併用することを特徴とする。また、請求項３に記載の発明は、前記所定のスキルが、健康教育スキル、自立体力検定の運営スキル及び運動啓蒙スキルであることを特徴とする。さらに、請求項４に記載の発明は、前記自立体力検定ステップが、歩行能力、手先作業能力、身体調整能力及び姿勢変換能力の検定ステップを有することを特徴とする。
【００１２】
また、請求項５に記載の発明は、健康教育スキルと自立体力検定の運営スキル及び運動啓蒙スキルを有する健康づくり支援者の指導に基づき、個人の自立体力を検定する自立体力検定手段と、前記自立体力検定手段で得られた自立体力結果に基づき、前記健康づくり支援者が健康づくりのための健康教育及び又は健康情報の提供を行う教育・情報提供手段を備えることを特徴とする。
【００１３】
また、請求項６に記載の発明は、前記教育・情報提供手段が、問題定義学術データ、解決理論学術データ及び解決アクション学術データが記載された健康情報頁と、該健康情報頁と併用され目標と行動を記載可能なチャレンジシートを備えることを特徴とする。
【発明の効果】
【００１４】
本発明のうち請求項１に記載の健康づくり支援方法によれば、健康づくり支援者の指導に基づき個人の自立体力を検定する自立体力検定ステップと、自立体力結果に基づき健康づくり支援者が健康づくりのための健康教育や健康情報の提供を行う教育・情報提供ステップを備えるため、健康づくりへの行動を起こせない個人に対して運動・身体活動の重要性を認識させるアプローチを行うことができ、個人の努力のみに頼るのではなく地域や職場等で効果的に実践できて、健康寿命を延伸したり社会保障費の削減が図れる等の健康づくりの好循環をつくることができ、個人の健康づくりを効果的に支援することが可能になる。
【００１５】
また、請求項２に記載の発明によれば、請求項１に記載の発明の効果に加え、教育・情報提供ステップが、健康教育用や健康情報提供用の資料に基づくかみしばいの形態で行われると共に、個人の健康づくりの目標と行動が記載可能なチャレンジシートを併用するため、地域や職場等の複数の個人に対して、健康づくりための教育や情報を懐かしく解り易く提供できる等、個人の健康づくりをより効果的に支援することができる。
【００１６】
また、請求項３に記載の発明によれば、請求項１または２に記載の発明の効果に加え、健康づくり支援者の所定のスキルが、健康教育スキル、自立体力検定の運営スキル及び運動啓蒙スキルであるため、健康づくりを支援・推進する健康づくり支援者の能力を高めることができて、個人の健康づくりを一層効果的に支援することができる。
【００１７】
また、請求項４に記載の発明によれば、請求項１ないし３に記載の発明の効果に加え、自立体力検定ステップが、歩行能力、手先作業能力、身体調整能力及び姿勢変換能力の検定ステップを有するため、各個人の自立体力を精度良く検定できて、個人の健康づくりをより一層効果的に支援することができる。
【００１８】
また、請求項５に記載の健康づくり支援システムによれば、自立体力検定手段で検定した自立体力結果に基づき、健康づくり支援者が教育・情報提供手段を使用して健康づくりのための健康教育や健康情報の提供を行うため、健康づくりへの行動を起こせない個人に対して運動・身体活動の重要性を認識させるアプローチができて、個人の努力のみに頼るのではなく地域や職場等で効果的に実践できて、健康寿命を延伸したり社会保障費の削減が図れる等の健康づくりの好循環をつくることができ、個人の健康づくりを効果的に支援することができる。
【００１９】
また、請求項６に記載の発明によれば、請求項５に記載の発明の効果に加え、教育・情報提供手段が、問題定義学術データ、解決理論学術データ及び解決アクション学術データが記載された健康情報頁と、該健康情報頁と併用され目標と行動を記載可能なチャレンジシートを備えるため、健康情報頁を例えば健康かみしばいで構成でき、その構成の簡略化や使い勝手の向上を図ることができて、個人の健康づくりをより効果的に支援することができる。
【図面の簡単な説明】
【００２０】
【図１】本発明に係わる健康づくり支援方法の概念図である。
【図２】同その行動変容を起こす「しくみ」の説明図である。
【図３】同「健康かみしばい」の第１の実施形態のロジック図である。
【図４】同「健康かみしばい」の１頁の表面図である。
【図５】同２頁の表面図である。
【図６】同３頁の表面図である。
【図７】同４頁の表面図である。
【図８】同５頁の表面図である。
【図９】同６頁の表面図である。
【図１０】同７頁の表面図である。
【図１１】同８頁の表面図である。
【図１２】同４頁の裏面図である。
【図１３】同８頁の裏面図である。
【図１４】同「チャレンジシート」の一実施例を示す表面図である。
【図１５】同その裏面図である。
【図１６】同健康づくり支援者育成ステップの説明図である。
【図１７】同自立体力検定ステップの説明図である。
【図１８】同自立体力検定ステップによる自立体力検定の個人用管理票である。
【図１９】同グループ用管理票である。
【図２０】同自立体力検定結果表である。
【図２１】同そのレベル表である。
【図２２】同「健康かみしばい」の第２の実施形態のロジック図である。
【図２３】同「健康かみしばい」の１頁の（ａ）が表面図、（ｂ）が裏面図である。
【図２４】同「健康かみしばい」の２頁の（ａ）が表面図、（ｂ）が裏面図である。
【図２５】同「健康かみしばい」の３頁の（ａ）が表面図、（ｂ）が裏面図である。
【図２６】同「健康かみしばい」の４頁の（ａ）が表面図、（ｂ）が裏面図である。
【図２７】同「健康かみしばい」の５頁の（ａ）が表面図、（ｂ）が裏面図である。
【図２８】同「健康かみしばい」の６頁の（ａ）が表面図、（ｂ）が裏面図である。
【図２９】同「健康かみしばい」の７頁の（ａ）が表面図、（ｂ）が裏面図である。
【図３０】同「健康かみしばい」の８頁の（ａ）が表面図、（ｂ）が裏面図である。
【発明を実施するための形態】
【００２１】
以下、本発明を実施するための形態を図面に基づいて詳細に説明する。
図１に示すように、本発明の健康づくり支援方法は、健康づくり支援者育成ステップＳ１と、教育・情報提供ステップＳ２及び自立体力検定ステップＳ３の３つのステップＳ１〜Ｓ３によって行われる。
【００２２】
前記健康づくり支援者育成ステップＳ１は、後述する方法により、健康づくりの推進役を担うと共に、例えば地域や社内の「健康」をコミュニケーションツールとした健康づくりの伴走者（健康づくり支援者：健康づくりを支援、推進、指導等する全ての者を含む）を担う人材を育成する。また、前記自立体力検定ステップＳ３は、後述する自立体力測定方法により、定量的な健康評価の検定を行うと共に、現状と改善方法の見える化を図る。
【００２３】
また、前記教育・情報提供ステップＳ２は、情報提供手段としての健康かみしばい１を介して、健康教育と健康情報の活用を促進すると共に、ヘルス・リテラシーの考え方を踏襲して行動変容のしくみ化を図る。この教育・情報提供ステップＳ２の健康かみしばい１には、チャレンジシート２が組み合わされる。  
【００２４】
図２は、前記教育・情報提供ステップＳ２における「行動変容」をおこす「しくみ」の説明図である。すなわち、健康かみしばい１は、健康てっぱんネタ（健康情報）の提供を行うと共に、健康に関する知識や方法の理解を図ることを目的とし、チャレンジシート２は、後述する如く構成されて、目標と行動を記載すると共にインセンティブを図ることを目的とする。
【００２５】
前記健康かみしばい１は、例えば図３に示すように構成される。この健康かみしばい１は、テーマが「あなたのカラダ、健康診断だけで大丈夫？」としたもので、６５歳以上の要介護の原因の図等の問題定義学術データＤ１の頁（４枚）と、健康の三大要素の解説等の解決理論学術データＤ２の頁（１枚）と、例えば健康な体力を維持する３つのポイント等の解決アクション学術データＤ３の頁（１枚）と、行動へ落とし込むための簡単にできるトレーニング方法Ｔの頁（２枚）で構成され、これに行動の見える化を図る前記チャレンジシート２の頁（１枚）が付加される。
【００２６】
図４〜図１３は、前記健康かみしばい１の具体例を示している。なお、健康かみしばい１の各頁は、例えばＡ３の厚紙で形成され、次に示すような文章や図等が印刷等（記載、記入、記録、掲載等を含む、以下同）されている。すなわち、図４〜図７は、前述した問題定義学術データＤ１に係わる頁を示し、図４の頁１（Ｐ１）には問題定義の文章が印刷等され、図５の頁２（Ｐ２）には６５歳以上の要介護の原因を示す図等が印刷等されている。また、図６の頁３（Ｐ３）には、健康診断と体力診断の文章が印刷等され、図７の頁４（Ｐ４）には老化の進みを示す図等が印刷等されている。
【００２７】
また、図８は前述した解決理論学術データＤ２に係わる頁を示し、この頁５（Ｐ５）には、健康の三大要素の文章が印刷等されている。また、図９は、前述した解決アクション学術データＤ３に係わる頁を示し、この頁６（Ｐ６）にはトレーニング方法の文章が印刷等されている。さらに、図１０及び図１１は、前述した行動への落とし込み、つまり前記トレーニング方法Ｔに係わる頁を示し、これらの頁７（Ｐ７）、頁８（Ｐ８）には、具体的なトレーニング方法を示すイラスト（写真）等が印刷等されている。
【００２８】
そして、健康かみしばい１の各頁１〜頁８の裏面には、各頁１〜頁８の説明文９が印刷等されている。例えば図１２に示すように、頁４（Ｐ４）にはその説明文９−４が裏面に印刷等され、図１３に示すように、頁８（Ｐ８）にはその説明文９−８が裏面に印刷等されている。そして、健康づくり支援者が頁１から順にその表面側を複数の個人に見せながら、裏面の説明文９を読むことで、健康教育や健康情報が提供されることになる。このとき、健康かみしばい１の各頁をかみしばい用のボックスに入れて１枚ずつ抜いて説明する場合には、前記説明文９を一つ前の頁の裏面等に印刷等すれば良い。
【００２９】
次に、このような健康かみしばい１と併用される前記チャレンジシート２について説明する。チャレンジシート２は、例えば大きさがＡ４の紙で図１４及び図１５に示すように構成される。すなわち、チャレンジシート２の表面２ａには、図１４に示すように、チャレンジシート２を使用する個人の氏名等のデータを記載する個人データ欄３と、目標を記載（記入）する目標記載欄４と、目標をクリアした日を塗りつぶす等のマーキングをする行動記載欄５が印刷等されている。また、チャレンジシート２には、健康づくりのテーマ６（図１４では、テーマが「塩辛いものを取り過ぎていませんか？」の場合を示す）と、減塩の効果７等が予め印刷等されている。
【００３０】
また、前記行動記載欄５は、富士山の図５ａが印刷等されると共に、富士山の裾野をスタート（ＳＴＡＲＴ）とし山頂がゴール（ＧＯＡＬ）となる、１〜３、８〜１３、１５〜２０、２２〜２６、２８〜３０の数字５ｂ（日）と、１週間毎の１〜４の数字５ｃ（週）が、丸印の中に印刷等されている。そして、目標をクリアした場合には、所定の数字５ｂ、５ｃの丸印が塗りつぶされるようになっている。
【００３１】
一方、チャレンジシート２の裏面２ｂは、例えば図１５に示すように、減塩に取り組むための各種の健康情報８ａや個人記載欄８ｂ等が印刷等されている。なお、チャレンジシート２は、以上の例に限定されず、例えば所属する県や市町村の図を使用し、その観光名所等のポイントを１から３０の数字で連結して、各個人の健康づくりへの意欲を高め得るような適宜形態のチャレンジシートを使用することも勿論可能であるし、Ａ４のシート状に限らず、適宜大きさのカード状であっても良い。
【００３２】
図１６は、前記健康づくり支援者育成ステップＳ１の具体的なステップを示している。図１６に示すように、健康づくり支援者育成ステップＳ１は、健康かみしばい１を使って健康知識等を提供する健康教育スキルを取得するステップ（Ｓ１−１）と、後述する自立体力測定方法によって自立体力を検定して運営するスキルを取得するステップ（Ｓ１−２）と、簡単な運動方法等の健康啓蒙スキルを取得するステップ（Ｓ１−３）からなり、これら３つのステップ（スキル）を所定の講座を受講等することで行われるようになっている。
【００３３】
そして、３つの講座の受講後に、認定資格（認定資格証１０）が発行（Ｓ１−４）され、この認定資格証１０を得ることで、健康づくりの教室が開催できる（Ｓ１−５）。この健康づくり教室で健康づくり支援者により、健康講話、体力測定・評価及び運動啓蒙等が行われることになる。
【００３４】
図１７は、前記自立体力検定ステップＳ３における自立体力測定方法の具体的な例を示している。図１７に示すように、自立体力検定ステップＳ３は、４つの自立体力の測定結果、すなわち、歩行能力Ｎ１と手先作業能力Ｎ２、身体調整能力Ｎ３及び姿勢変換能力Ｎ４が測定されてその結果に基づいて行われる。前記歩行能力Ｎ１は、スタート１２から例えば７ｍの位置の間に４つのコーン１３をジグザグ状に配置し、各コーン１３間をジグザグに歩いてスタート１２に戻るまでの時間を計測することで行う。
【００３５】
また、前記手先作業能力Ｎ２は、左右に一列と中央に２列で前後方向に複数の穴がそれぞれ形成されたペグボード１４とテーブル１５を使用し、テーブル１５上にセットしたペグボード１４の各穴にペグ１４ａを順に抜き差しすることで行われる。この抜き差しは、中央２列のペグ１４ａを両手で同時に前後方向の前方側から１本ずつ順に外側の左右の各列の穴に移動させ、次に、左右の各列の穴のペグ１４ａを片手で元の中央の列の穴に順に戻すことによって行われ、これらの時間が計測される。
【００３６】
さらに、前記身体調整能力Ｎ３は、所定長さのスーパーソフトバンド１６を使用し、このスーパーソフトバンド１６を身体の前側から外側に例えば３周回させ、その時間を計測することで行われる。また、前記姿勢変換能力Ｎ４は、椅子１７とリング１８及びマット１９を使用し、マット１９上に仰向きに寝た姿勢から立ち上がって椅子１７に座り、次に椅子１７で立ち上がりと座る動作を所定回数行い、最後に床面上等に配置したリング１８を拾い頭上に持ち上げるまでの時間を計測することで行われる。
【００３７】
そして、各能力Ｎ１〜Ｎ４の時間を計測したら、これらの時間を予め実験等により求めた図示しない評価基準表と比較して、各個人の自立体力が検定される。つまり、前記自立体力検定ステップＳ３は、高齢者等の日常生活において必要とされる４つの能力Ｎ１〜Ｎ４を測定（検定）することで、各個人の自立体力が精度良く検定されることになる。なお、以上説明した自立体力検定ステップＳ３における自立体力測定方法は、本願出願人に係わる特許第５３１６９８４号公報及び特許第５４４１２４０号公報に詳細に開示されている。
【００３８】
図１８〜図２１は、この自立体力検定ステップＳ３で使用される個人用及びグループ用の管理票、検定結果表及びレベル表である。すなわち、図１８は個人用の管理票２０を示し、体力測定の結果２０ａ、自立体力総合評価２０ｂ、生活アンケートの結果２０ｃ、暮らし方のアドバイス２０ｄ及び個人データ２０ｅ等が印刷等されている。また、図１９は、例えば各市町村や企業の健康保険組合毎等のグループ用の管理票２１を示し、グループ平均データ２１ａ、種目別得点２１ｂ及び総評２１ｃ等が印刷等されている。
【００３９】
また、図２０の検定結果表２２は、前記各能力Ｎ１〜Ｎ４の結果（年齢等）が記載されると共に、各能力Ｎ１〜Ｎ４の結果２２ａ（年齢）、総合判定２２ｂや講評２２ｃ及び暮らしのアドバイス２２ｄ等が図表等を利用して印刷等されている。また、図２１のレベル表２３は、同世代のくらしの説明２３ａと今回受けた自立体力のレベル（段）２３ｂが印刷等されている。そして、管理票２０、２１は、健康づくりを管轄する例えば各市町村が保管管理し、検定結果表２２とレベル表２３は、検定を受けた各個人に提供される。このような管理票２０、２１や検定結果表２２及びレベル表２３を使用することで、前記自立体力検定ステップＳ３に次のような効果が得られる。
【００４０】
すなわち、今回の結果と前回の結果を比較したり、全国の平均と各個人の比較、あるいは全国の平均と属するグループの比較を図表等で明瞭に比較できる。また、体力レベルを得点評価と体力年齢で表示できると共に、生活習慣についても、同世代と自分の比較を行うことも可能になる。さらに、生活習慣について、今回と前回の変化を把握することができると共に、各個人への結果や各グループの結果を効果的に提供でき、また、体力と年齢、体力と生活習慣等のクロス分析を行うことも可能になる等、自立体力を一層精度良く検定することが可能になる。
【００４１】
図２２は、本発明に係わる健康かみしばい１の第２の実施形態のロジック図を示している。以下、これについて、前記第１の実施形態の健康かみしばい１と同一部位には同一符号を付して説明する。この実施形態の健康かみしばい１の特徴は、前記第１の実施形態の行動の落とし込みとしてのトレーニング方法Ｔを省略し、行動の見える化として前記チャレンジシート２を使用するようにした点にある。
【００４２】
そして、図２３〜図３０は、このロジック図に基づき、カテゴリが「食生活の習慣」で、テーマを「塩辛いものを取り過ぎていませんか？」とした場合の健康かみしばい１を示している。すなわち、図２３〜図２６の４枚が前記問題定義学術データＤ１の頁で、図２７、図２８の２枚が前記解決理論学術データＤ２の頁、図２９、図３０の２枚が前記解決アクション学術データＤ３を示している。つまり、問題定義学術データＤ１としての、図２３の頁１の表面は、日本人の１日食塩平均摂取量についての択一回答式の設問の頁で、図２４の頁２の表面はその答えの頁、図２５の頁３の表面は、２０歳以上の高血圧の割合についての設問の頁で、図２６の頁４の表面はその答えの頁である。
【００４３】
また、解決理論学術データＤ２としての、図２７の頁５の表面は、ナトリウムについての説明の頁で、図２８の頁６の表面は、塩分が多く含まれる食品についてと減塩の効果についての説明の頁である。さらに、解決アクション学術データＤ３としての、図２９の頁７の表面は、減塩するポイントについての説明の頁で、図３０の頁８の表面は、毎日の目標を立てるための頁である。
【００４４】
そして、これらの各頁１〜頁８の裏面には、対応する各表面の説明文９がそれぞれ印刷等されている。このとき、各頁１〜頁８の裏面の左側には、頁データ２４が印刷等され、この頁データ２４は、上下方向に１〜８までの頁を示す番号２４ａと、１〜４が前記問題定義学術データＤ１で、５と６が前記解決理論学術データＤ２で、７と８が前記解決アクシュン学術データＤ３である旨が印刷等されている。また、頁データ２４の番号２４ａを示す１〜８の各数字は、健康かみしばい１の各頁に該当する数字が他の頁の数字とは異なるように、例えば太字・大文字あるいは太字・白抜き数字等となっている。また、各頁１〜頁８の裏面の右端上部には、各頁の表面の内容が縮小状態で印刷等されている。
【００４５】
これらにより、前記健康づくり支援者か健康かみしばい１を使用して健康づくりのための健康教育や健康情報の提供を行う際に、頁１〜頁８の表面を各人に示しながら、表面に対応した説明を行うことができると共に、健康づくり支援者自身が健康かみしばい１の進み度合いを的確に把握しつつ行うことができる。
【００４６】
なお、本発明に係わる健康かみしばい１は、前述した各実施形態のテーマ（カテゴリ）に限定されず、例えば「歯ぐきからの出血を放っていませんか？（食生活の習慣）」、「低栄養になっていませんか？（食生活の習慣）」、「毎日どのくらい歩いていますか？（運動の習慣）」、「転倒予防の大切さを知っていますか？（運動の習慣）」、「タバコは吸わないようにしていますか？（休養の習慣）」、「ストレスをためすぎないようにしていますか？（休養の習慣）」、「ライフスタイルに合った「活動の習慣」を取り入れていますか？（社会生活の習慣）」、「家庭内の役割を持っていますか？（社会生活の習慣）」等の、健康に係わる各種のテーマ（カテゴリ）に適用することも可能である。
【００４７】
また、前記各実施形態の健康かみしばい１の頁数も８頁に限定されず、適宜に増減できるし、前記具体例における各データＤ１〜Ｄ３、Ｔの頁数も適宜に増減できる。さらに、前記各データＤ１〜Ｄ３、Ｔの形態も、例えばデータＤ１〜Ｄ３のうち所定の複数のデータＤ１〜Ｄ３を所定の頁に一体化したり、所定の一部のデータＤ１〜Ｄ３を削除する等、適宜に変更することができる。また、各頁の大きさもＡ３に限らず、Ａ４等であっても良い。
【００４８】
以上説明したように、前記健康づくり支援方法は、健康づくり支援者育成ステップＳ１と、教育・情報提供ステップＳ２及び自立体力検定ステップＳ３を備えることから、これらの各ステップＳ１〜Ｓ３と健康ソリューションとを活用することで、健康づくりのやる気のスイッチを入れる４つの「しくみ」を構築できる。すなわち、日常生活の体力と健康度を客観的にチェックできる自立体力検定ステップＳ３により、「しくみ１」として体力・健康度の見える化が図れ、また、教育・情報提供ステップＳ２により、健康知識を楽しく提供し、行動変容をおこす健康教育ツールとなる健康かみしばい１やチャレンジシートシート２で健康知識の取得・活用を図ることができる。
【００４９】
さらに、健康づくり支援者育成ステップＳ１で、健康づくりを推進しサポートできる人材（健康づくり支援者）が育成され、「しくみ３」としての健康づくり伴走者の育成が図れ、また、頭、体、心を健康にする所定の健康商品を併用することにより、「しくみ４」としての健康ソリューションの活用が図れる。そして、「しくみ１」では、客観的に健康課題を把握することができ、「しくみ２」では、健康的な生活習慣を身に付けることができる。また、「しくみ３」では、伴走者の存在で健康づくりが継続され、「しくみ４」では、健康づくりへ取り組みを一層促進できることになる。
【００５０】
つまり、本発明の前記健康づくり支援方法によれば、認定資格を有する健康づくり支援者を育成する健康づくり支援者育成ステップＳ１と、健康づくり支援者の指導に基づいて個人の自立体力を測定する自立体力検定ステップＳ３と、自立体力結果に基づいて健康づくり支援者が健康づくりのための健康教育と健康情報提供を行う教育・情報提供ステップＳ２を備えるため、健康づくりへの行動を起こせない個人に対して運動・身体活動の重要性を認識させるアプローチを行うことができ、個人の努力のみに頼るのではなく地域や職場等で効果的に実践できて、健康寿命を延伸したり社会保障費の削減が図れる等の健康づくりの好循環を構築して、個人の健康づくりを効果的に支援することが可能になる。
【００５１】
また、教育・情報提供ステップＳ２が、健康教育用の資料や健康情報提供用の資料に基づく健康かみしばい１の形態で行われると共に、個人の健康づくりの目標と行動が記載されたチャレンジシート２が併用（組み合わ）されるため、地域や職場等の複数の個人に対して、健康づくりための教育や情報を見易くかつ解り易く提供できると共に、現在ではほとんど接する機会のない「紙芝井」の使用で、個人が「健康かみしばい１」に懐かしさや物珍しさを感じつつ興味を持つことができる等、個人の健康づくりをより効果的に支援することができる。
【００５２】
特に、情報提供する手段として、健康づくりための各データＤ１〜Ｄ３、Ｔからなる教育用の資料や情報提供用の資料を有する８頁の健康かみしばい１が使用されるため、情報提供手段の構成を簡略化して地域や職場等で容易に使用できる等、その使い勝手を向上させると共に、複数人の個人に各種情報等を効果的に提供することができて、個人の健康づくりをより効果的に支援することができる。
【００５３】
また、健康かみしばい１と併用されるチャレンジシート２が、個人の健康づくりの目標を記載する目標記載欄４と、目標をクリアした場合に所定のマーキングをする行動記載欄５等を有するため、チャレンジシート２で各個人が健康づくりの進捗状況を確実に理解することができる。またさらに、チャレンジシート２の各行動記載欄５が親しみ易い富士山の図５ａを使用して行われるため、各個人がチャレンジシート２に親近感を覚えたり、行動記載欄５へのマーキング等を確実に行うことができる。
【００５４】
また、健康づくり支援者育成ステップＳ１において、健康教育スキル、自立体力検定の運営スキル及び運動啓蒙スキルの各スキルが所得されるため、健康づくりを支援・推進する健康づくり支援者の能力を高めることができて、各個人の健康づくりを一層効果的に支援することができる。
【００５５】
また、自立体力検定ステップＳ３が、歩行能力Ｎ１、手先作業能力Ｎ２、身体調整能力Ｎ３及び姿勢変換能力Ｎ４の４つの検定ステップを有するため、高齢者等の各個人の自立体力を精度良く検定できる。また、自立体力検定ステップにおいて、管理票２０、２１や検定結果表２２及びレベル表２３を使用するため、各自治体等において個人やグループの健康づくり状態を前述したように数量的に把握できて、各個人（住人）への健康づくりの支援活動を的確に行うことができると共に、各個人に健康づくりの状態（レベル）を明確に提供できて、各個人の健康づくりをより一層効果的に支援することが可能になる。
【００５６】
なお、前記実施形態においては、健康づくり支援者が、健康教育スキル、自立体力の運営スキル及び健康啓蒙スキルの各スキルを所定の講座を受講することで、認定資格を有する認定資格者として説明したが、本発明は、これに限定されず、所定の資格や所定の教育により健康に関する所定のスキルを有する、例えば市町村の保健師、企業の健康推進者等の社員（個人）の健康づくりに携わる者、あるいは看護師等であっても良い。
【００５７】
また、前記「健康かみしばい」は、自立体力検定ステップの検定結果に基づいて、教育・情報提供を行う例に限定されず、例えば前述した問題定義学術データ、解決理論学術データ、解決アクション学術データの少なく一つが掲載された「健康かみしばい」のみを使用して、個人の健康課題等に応じた教育・情報提供を行う方法であっても良い。
【００５８】
さらに、前記実施形態における、健康づくり支援者育成ステップＳ１や自立体力検定ステップＳ３の具体的方法等は一例であって、例えば自立体力検定ステップＳ３の各能力Ｎ１〜Ｎ４の測定順序を適宜に変更する等、本発明に係わる各発明の要旨を逸脱しない範囲において、適宜に変更することが可能である。
【００５９】
またさらに、前記実施形態においては、教育・情報提供手段として紙に印刷等された健康かみしばいを使用したが、このかみしばいの形態は、紙を使用した例に限定されず、例えば各頁を液晶表示盤等のようなモニタに表示させる形態、ＰＤＦデータを提供してプロジェクターに表示させる形態、スライドショー動画をパソコンやスマートフォン等で視聴可能とする形態、健康かみしばいの各頁をポスター化して掲示物とする形態等、適宜形態の教育・情報提供手段を採用することも勿論可能である。
【産業上の利用可能性】
【００６０】
本発明は、高齢者等の個人の健康づくりに限らず、全ての年代の個人の健康づくりにも利用可能である。
【符号の説明】
【００６１】
１・・・・・・・・・健康かみしばい
２・・・・・・・・・チャレンジシート
２ａ・・・・・・・・表面
２ｂ・・・・・・・・裏面
３・・・・・・・・・個人データ欄
４・・・・・・・・・目標記載欄
５・・・・・・・・・行動記載欄
８・・・・・・・・・健康情報
９・・・・・・・・・説明文
１０・・・・・・・・認定資格証
２０、２１・・・・・管理票
２２・・・・・・・・レベル表
２３・・・・・・・・検定結果表
２４・・・・・・・・頁データ
Ｓ１・・・・・・・・健康づくり支援者育成ステップ
Ｓ２・・・・・・・・教育・情報提供ステップ
Ｓ３・・・・・・・・自立体力検定ステップ
Ｄ１・・・・・・・・問題定義学術データ
Ｄ２・・・・・・・・解決理論学術データ
Ｄ３・・・・・・・・解決アクション学術データ
Ｔ・・・・・・・・・トレーニング方法
Ｎ１・・・・・・・・歩行能力
Ｎ２・・・・・・・・手先作業能力
Ｎ３・・・・・・・・身体調整能力
Ｎ４・・・・・・・・姿勢変換能力
【図１】
2019036128.tif 000003
【図２】
2019036128.tif 000004
【図３】
2019036128.tif 000005
【図４】
2019036128.tif 000006
【図５】
2019036128.tif 000007
【図６】
2019036128.tif 000008
【図７】
2019036128.tif 000009
【図８】
2019036128.tif 000010
【図９】
2019036128.tif 000011
【図１０】
2019036128.tif 000012
【図１１】
2019036128.tif 000013
【図１２】
2019036128.tif 000014
【図１３】
2019036128.tif 000015
【図１４】
2019036128.tif 000016
【図１５】
2019036128.tif 000017
【図１６】
2019036128.tif 000018
【図１７】
2019036128.tif 000019
【図１８】
2019036128.tif 000020
【図１９】
2019036128.tif 000021
【図２０】
2019036128.tif 000022
【図２１】
2019036128.tif 000023
【図２２】
2019036128.tif 000024
【図２３】
2019036128.tif 000025
【図２４】
2019036128.tif 000026
【図２５】
2019036128.tif 000027
【図２６】
2019036128.tif 000028
【図２７】
2019036128.tif 000029
【図２８】
2019036128.tif 000030
【図２９】
2019036128.tif 000031
【図３０】
2019036128.tif 000032